(57)【要約】【課題】撮影時期の異なる２次元医用画像から直感的にがん等の病巣部の大きさ及び形を比較できる医用画像表示装置を提供することにある。【解決手段】ＣＰＵ１０１によって第一の医用画像と撮影時期の異なる第二の医用画像群の特定の画素を用いた相関演算で相関の最も高い対応画像をそれぞれ求め、ＣＲＴ１０５又は１０７に各対応画像を交互に表示する。【選択図】      図１
2004248960.tif 000002
【特許請求の範囲】
【請求項１】
撮影時期の異なる医用画像を表示する医用画像表示装置において、第一の医用画像と撮影時期の異なる第二の医用画像群の特定の画素を用いた相関演算で相関の最も高い対応画像をそれぞれ求める手段と、各対応画像を交互に切り換え表示する比較表示手段とを備えたことを特徴とする医用画像表示装置。
【請求項２】
撮影時期の異なる医用画像を表示する医用画像表示装置において、第一の医用画像群と撮影時期の異なる第二の医用画像群との特定の画素を用いた相関演算で相関の最も高い対応画像を求める手段と、該求められた対応画像を含む第一の医用画像群及び、第二の医用画像群を用いて陰影づけ３次元画像をそれぞれ作成する手段と、各３次元画像を並べるか交互に切り換えるか少なくとも一方で表示する比較表示手段とを備えたことを特徴とする医用画像表示装置。
【請求項３】
前記陰影づけ３次元画像の一方の画像の表示条件の変更に伴い、他方の陰影づけ３次元画像をその表示条件に変更することを特徴とする請求項２に記載の医用画像表示装置。
【発明の詳細な説明】
【０００１】
【発明の属する技術分野】
ＣＴ画像などの医用画像を観察している医師が、陰影を見てがんか否かを判定する効果的な方法は、例えば、１年前の画像陰影と比較して大きさが大きくなっているかどうかをみることであると言われている。
本発明は撮影時期の異なるＣＴ、ＭＲＩ、超音波画像を含む医用画像を表示する医用画像装置に係り、特に医用画像に関する。
【０００２】
【従来の技術】
過去画像と当日画像の表示に関して、解剖学的位置が略同一の断層像対を表示する方法が記載されており［特許文献１］、また、異なる時期に撮影した対応するスライス画像の求め方が記載されている［特許文献２］。
【０００３】
【特許文献１】
特開平８−２９４４８５号公報
【特許文献２】
特開平１０−５３１７２号公報
【０００４】
【発明が解決しようとする課題】
ＣＴ画像などの医用画像を観察している医師が、陰影を見てがんか否かを判定する効果的な方法は、例えば、１年前の画像陰影と比較して大きさが大きくなっているかどうかをみることであると言われている。
【０００５】
［特許文献１］においては表示する対象が断層像に限定されており、立体的な大きさ形の比較は医師の想像による比較になってしまう。さらに、［特許文献１］及び［特許文献２］においては、当日と過去画像の表示は２次元の医用画像を隣に並べて表示する方法になっており、医師は視線を左右に動かして大きさ及び形の比較をするので比較しにくいものであった。
【０００６】
本発明の目的は、撮影時期の異なる２次元医用画像から直感的にがん等の病巣部の大きさ及び形を比較できる医用画像表示装置を提供することにある。
【０００７】
【課題を解決するための手段】
上記目的は、撮影時期の異なる医用画像を表示する医用画像表示装置において、第一の医用画像と撮影時期の異なる第二の医用画像群の特定の画素を用いた相関演算で相関の最も高い対応画像をそれぞれ求める手段と、各対応画像を交互に切り換え表示する比較表示手段とを備えたことで達成される。
これにより対象が２次元画像であっても大きさや形の比較が容易になるように、異なる時期に撮影した対応するスライス画像を交互に表示し、目の残像効果も使える。
【０００８】
また、撮影時期の異なる医用画像を表示する医用画像表示装置において、第一の医用画像群と撮影時期の異なる第二の医用画像群との特定の画素を用いた相関演算で相関の最も高い対応画像を求める手段と、該求められた対応画像を含む第一の医用画像群及び、第二の医用画像群を用いて陰影づけ３次元画像をそれぞれ作成する手段と、各３次元画像を並べるか交互に切り換えるか少なくとも一方で表示する比較表示手段とを備えたことで達成される。
これにより、立体的な大きさや形の比較が容易になるように陰影づけ３次元画像も対象にする。
【０００９】
【発明の実施の形態】
本発明の医用画像表示装置の実施の一形態について図面を用いて説明する。
図１は本発明の医用画像表示装置の構成例を示すブロック図、図２は図１の装置の動作を示すフローチャート、図７は当日画像と過去画像の撮影条件が異なる場合の対応例を示す図である。
【００１０】
まず、本発明の医用画像表示装置の構成について図１を用いて説明する。
この医用画像表示装置は、各構成要素の動作を制御する中央処理装置（ＣＰＵ）１０１と、装置の制御プログラムが格納された主メモリ１０２と、複数の断層像データ及びコンピュータプログラム等が格納された磁気ディスク１０３と、表示用の画像データを一時記憶する表示メモリ１０４，１０６と、これらの表示メモリ１０４，１０６からの画像データに基づいて画像を表示する表示装置としてのＣＲＴディスプレイ１０５，１０７と、画面上のソフトウエアスイッチを操作するマウス１０９及びそのコントローラ１０８と、各種パラメータ設定用のキーやスイッチを備えたキーボード１１Ａと、上記各構成要素を接続する共通バス１１Ｂとから構成される。
【００１１】
この実施の形態では、主メモリ１０２以外の記憶装置として、磁気ディスク１０４のみが接続されている場合を示しているが、これ以外にフロッピディスクドライブ、ハードディスクドライブ、ＣＤ−ＲＯＭドライブ、光磁気ディスク（ＭＯ）ドライブ、ＺＩＰドライブ、ＰＤドライブ、ＤＶＤドライブなどが接続されていてもよい。さらに、図示されていない通信インターフェイスを介してＬＡＮ（ローカルエリアネットワーク）１２０やインターネット、電話回線などの種々の通信ネットワーク上に接続可能とし、他のコンピュータとの間で画像データやプログラムデータの送受信を行えるようにしてもよい。また、画像データの入出力は、Ｘ線ＣＴ装置１３０や、ＭＲＩ装置（図示せず）などの被検体の断層像が収集可能な医用画像診断装置をＬＡＮ１２０等と接続して行ってもよい。
【００１２】
具体的にどのように比較するか、図２で説明する。
（ステップ２０１）
ＣＴ、ＭＲなどの複数の２次元画像（断層像）の代表画像を図６（ａ）のように表示する。本発明では、複数の２次元画像を画像群と呼ぶ。
（ステップ２０２）
交互ボタンクリック？  かどうかを判定する。
（ステップ２０３）
陰影付け３次元並列表示ボタンクリック？  かどうかを判定する。
（ステップ２０４）
対応画像を求め、図５のように当日画像と過去画像の交互に切り換え表示をする。
（ステップ２０５）
３次元医用画像に対しては、図７に示すように、ＣＴ画像のスライスピッチが異なる場合などは画像補間などを行って各種撮影条件を合わせる。それぞれ対応画像を含む複数枚の２次元画像を用いて陰影づけ３次元画像を作成し、表示する。
（ステップ２０６）
終了ボタンクリック？  かどうかを判定する。
クリックされたら終了する。
【００１３】
次に、対応画像を求める手順を図３を用いて説明する。
（ステップ３００）
過去画像を表示する。
（ステップ３０１）
一定時間待つ。この待ち時間（スリープ１）は、図５のように操作者が変更可能。
（ステップ３０２）
当日画像を表示する。
（ステップ３０３）
一定時間待つ。この待ち時間（スリープ２）は、図５のように操作者が変更可能。
（ステップ３０４）
表示中の過去画像番号が（前／後ボタンがクリックされ）変更されたか否かを判定する。クリックされたら、ステップ１７に跳ぶ。
（ステップ３０５）
表示中の当日画像番号が（前／後ボタンがクリックされ）変更されたか否かを判定する。クリックされたら、ステップ１８に跳ぶ。
（ステップ３０６）
終了？で終了か否かを判定し、終了であれば終了する。継続であればステップ３００へ跳ぶ。
【００１４】
また、ステップ１７，１８で示す。対応画像は図４に示される原理で説明する。
ここでは図示のように表示画素のアドレスの横方向、縦方向、ななめ方向に特定線と呼ぶ仮想線分をひく。それら線分上での当日画像及び過去画像の各画素値の差の絶対値を演算して、その総和が最小である過去画像の画像群のうちの２次元画像を対応画像とする。そしてこの対応画像を用いて３次元画像を構成するときは、当該対応画像が中心となるように３次元画像を構成するための２次元画像を選定する。
【００１５】
以上のように本実施形態によれば、異なる時期に撮影した対応するスライス画像を交互に表示するので、目の残像効果もつかえるようになって、対象が２次元画像であっても大きさや形の比較が容易にできる。
また、陰影づけ３次元も対象にしたので、立体的な大きさや形の比較が容易にできる。
【００１６】
【発明の効果】
本発明は、撮影時期が異なるので２次元医用画像から直感的にがん等の病巣部の大きさ及び形を比較できる医用画像表示装置を提供するという効果を奏する。
【図面の簡単な説明】
【図１】本発明の医用画像表示装置の構成例を示すブロック図。
【図２】図１の装置の動作を示すフローチャート。
【図３】図２の当日画像と過去画像の表示処理における対応画像演算処理を示すフローチャート。
【図４】当日画像と過去画像の対応画像の求め方の原理図。
【図５】過去及び当日画像を交互に表示した態様を示す図。
【図６】２次元（断層像）の表示状態、及び、過去及び当日画像の陰影づけ３次元画像の表示状態を示す図。
【図７】当日画像と過去画像の撮影条件が異なる場合の対応例を示す図。
【符号の説明】
１０１  ＣＰＵ  １０５，１０７  ＣＲＴ
【図１】
2004248960.tif 000003
【図２】
2004248960.tif 000004
【図３】
2004248960.tif 000005
【図４】
2004248960.tif 000006
【図５】
2004248960.tif 000007
【図６】
2004248960.tif 000008
【図７】
2004248960.tif 000009